(57)【特許請求の範囲】
【請求項１】
対向配置された、少なくとも一方がスライド移動可能な一対のスクリーン取付枠に、スクリーンが、両スクリーン取付枠間に収縮および展開自在に取り付けられ、スクリーン取付枠への取付側でないスクリーンの両端部付近にスライドガイド枠が一対配設され、スライドガイド枠は、複数の剛性ユニットが連結して形成され、一方向に屈曲性を有し、少なくとも一端が自由端とされてスクリーン取付枠内に収納および引出し可能とされ、スクリーン取付枠のスライド移動にともなってスクリーン取付枠から引き出されたとき、スライドガイド枠の引き出された部分は直線性を保持し、一対のスライドガイド枠の自由端が、スクリーン取付枠内に配設された８の字状のループを形成するスライドガイド枠張力部材により相互に連結され、スライドガイド枠張力部材の折返点が、スクリーン取付枠内においてスクリーン取付側と反対側に配置され、スクリーンが、スクリーン取付枠から取外自在とされ、スクリーンには、長さ方向に複数箇所で貫通し、スクリーンを支持する複数のスクリーン張力部材が配設され、スクリーン張力部材は、スクリーンのスクリーン取付枠への取付部から引き出され、スクリーンのスクリーン取付枠への取付部に折返部が配設され、スクリーンのスクリーン取付枠への取付部から引き出されたすべてのスクリーン張力部材が折返部に掛け回されて折り返され、端部がまとめて第１のコネクタに接続され、スクリーン取付枠内においてスライドガイド枠の自由端付近に一端が連結され、スクリーン取付側に引き出されたジャンプ部材の他端に第２のコネクタが配設され、第１のコネクタと第２のコネクタとは着脱自在であり、スライドガイド枠がスクリーン取付枠から引き出された状態においてスクリーンの交換が可能とされたスクリーン装置であって、表裏を貫通する通線孔が形成された固定部の表面側に、上下両端部が開口し、通線空間を有するガイド部が配設され、ガイド部の固定部側の左右両側端部にガイド部の長さ方向に沿って係合溝が形成された通線部材が、スクリーンのスクリーン取付枠への取付部から引き出される各スクリーン張力部材に通線孔を対応させて、スクリーン取付枠への取付部に固定された固定部材に配設され、スクリーンのスクリーン取付枠への取付部から引き出されたスクリーン張力部材が通線孔を通じて通線空間に引き込まれ、ガイド部にガイドされて折返部に向かい、係合突起を左右両側端縁部の内側に有するカバー部材が、係合突起を通線部材の係合溝に係合させて嵌着され、カバー部材が、スクリーンのスクリーン取付枠への取付部から引き出された複数のスクリーン張力部材の折返部までの部分を覆っていることを特徴とするスクリーン装置。
【請求項２】
横開き式のスクリーン装置であって、ボトムレールを備え、スライド移動可能なスクリーン取付枠の下端部にガイドブロックが配設され、ガイドブロックがボトムレールに沿って移動し、スクリーン取付枠のスライドがボトムレールによりガイドされ、スライドガイド枠張力部材の折返点を有する折返ブロックがスクリーン取付枠の下端部に配設され、ガイドブロックが折返ブロックに嵌着脱自在とされていることを特徴とする請求項１に記載のスクリーン装置。
【請求項３】
スクリーン装置は、取付枠に対向して配置された縦枠を備え、縦枠の戸当り面に隣接配置させてマグネットが縦枠の内部に配設され、スクリーン取付枠のスライド方向の先端部にもマグネットが配設され、両マグネットは互いに磁力により引き合い、スクリーン取付枠において縦枠の戸当り面との対向面が、縦枠の戸当り面の形状に追随して密着可能とされていることを特徴とする請求項２に記載のスクリーン装置。
【請求項４】
縦枠の戸当り面が一平面から形成されていることを特徴とする請求項３に記載のスクリーン装置。
【発明の詳細な説明】
【技術分野】
【０００１】
本発明は、カーテン、ブラインドをはじめ、網戸や間仕切などとして用いることのできるスクリーン装置に関する。
【背景技術】
【０００２】
カーテン、ブラインドなどの遮光および調光手段や網戸、間仕切りなどとして使用する際の設置の制約を解消し、また、優れた操作性とスクリーンの形状安定性を実現する装置として、本出願人は、特許文献１に記載されたスクリーン装置を提供している。
【０００３】
そして、本出願人は、特許文献１に記載されたスクリーン装置に、汚れたり破れたりしたときにスクリーンを交換可能とする改良を加えている（特願２００６−１７４５６６）。
【０００４】
たとえば図７および図８に示したように、スクリーン装置１は、対向配置された、少なくとも一方がスライド移動可能な一対のスクリーン取付枠２を備え、スクリーン３が、両スクリーン取付枠２間に収縮および展開自在に取り付けられ、スクリーン３は、両スクリーン取付枠２から取外自在とされている。スクリーン３には、プリーツが複数付けられたものが好ましく適用される。
【０００５】
また、スクリーン装置１は、スクリーン取付枠２への取付側でないスクリーン３の両端部付近に一対のスライドガイド枠４を備えている。スライドガイド枠４は、複数の剛性ユニット５が連結して形成されている。剛性ユニット５の構成は特許文献１に記載されている通りであり、スライドガイド枠４は、剛性ユニット５が隣接間で回動自在となるため、一方向に屈曲性を有する。スライドガイド枠４の少なくとも一端は自由端４ａとなっており、スライドガイド枠４は、スクリーン取付枠２内に収納および引出し可能とされている。スライドガイド枠４は、スクリーン取付枠２のスライド移動にともなってスクリーン取付枠２から引き出されたとき、引き出された部分は直線性を保持する。
【０００６】
一対のスライドガイド枠４の自由端４ａは、スクリーン取付枠２内に配設された８の字状のループを形成するスライドガイド枠張力部材６により相互に連結され、スライドガイド枠張力部材６の折返点７が、スクリーン取付枠２内においてスクリーン３の取付側と反対側に配置されている。スライドガイド枠張力部材６には、たとえば紐、ワイヤーなどが使用される。
【０００７】
スクリーン３には、長さ方向に複数箇所で貫通し、スクリーン２を支持する紐、ワイヤーなどのスクリーン張力部材８が複数配設されている。スクリーン張力部材８は、スクリーン３の両端部に位置するスクリーン取付枠２への取付部３ａから引き出されている。スクリーン３の取付部３ａには、セットテープ、セットプレートなどの固定部材９が配設され、固定部材９に折返部１０が配設され、スクリーン３の取付部３ａから引き出されたスクリーン張力部材８は、すべて折返部１０に向かって折り曲げられ、折返部１０に掛け回されて折り返され、端部がまとめられて第１のコネクタ１１に接続されている。
【０００８】
スクリーン取付枠２内には、また、スライドガイド枠４の自由端４ａ付近に、紐、リボン、ワイヤーなどの線材からなるジャンプ材１２が一端において連結され、スクリーン３の取付側に引き出された他端に第２のコネクタ１３が配設されている。第２のコネクタ１３は第１のコネクタ１１と着脱自在とされている。
【０００９】
したがって、スクリーン装置１では、スライドガイド枠４をスクリーン取付枠２からある程度引き出した状態においてスクリーン３の交換が可能である。すなわち、第１のコネクタ１１と第２のコネクタ１３との結合を解除すれば、拭き掃除によっても洗い落とすことのできない汚れや破れなどが生じたスクリーン３を取り外すことができ、新品のスクリーン３を取り付ける際には、第１のコネクタ１１と第２のコネクタ１３とを結合させ、スクリーン３をスクリーン取付枠２に取り付けるだけでよい。このように、スクリーン装置１は、スクリーン３の交換が容易であり、スクリーン装置１自体を窓枠開口部などから取り外すことなく、取付状態においてスクリーン３の交換が可能であり、スクリーン装置１のユーザーがスクリーン３の交換を行うこともできるという利点を有する。
【特許文献１】特許第３３２３４６１号公報
【発明の開示】
【発明が解決しようとする課題】
【００１０】
その一方で、スクリーン装置１については、その後の検討により、スクリーン３の取付部３ａから引き出される複数のスクリーン張力部材８において折返部１０に向かう部分８ａと折返部１０に掛け回されて折り返され、端部がまとめられて第１のコネクタ１１に接続される部分８ｂとが互いに絡まりやすく、製造作業、梱包作業、さらに組立作業などに支障をきたしていたことが明らかとなった。
【００１１】
本発明は、以上の通りの事情に鑑みてなされたものであり、スクリーンのスクリーン取付枠への取付部から引き出されたスクリーン張力部材において、折返部までの部分と、折返部に掛け回され、折り返され、端部がまとめられて第１のコネクタに接続される部分とが互いに絡まらず、製造作業、梱包作業、組立作業などに影響を及ぼすことのないスクリーン装置を提供することを課題としている。
【課題を解決するための手段】
【００１２】
本発明は、上記の課題を解決するために、以下のことを特徴としている。
【００１３】
第１の発明は、対向配置された、少なくとも一方がスライド移動可能な一対のスクリーン取付枠に、スクリーンが、両スクリーン取付枠間に収縮および展開自在に取り付けられ、スクリーン取付枠への取付側でないスクリーンの両端部付近にスライドガイド枠が一対配設され、スライドガイド枠は、複数の剛性ユニットが連結して形成され、一方向に屈曲性を有し、少なくとも一端が自由端とされてスクリーン取付枠内に収納および引出し可能とされ、スクリーン取付枠のスライド移動にともなってスクリーン取付枠から引き出されたとき、スライドガイド枠の引き出された部分は直線性を保持し、一対のスライドガイド枠の自由端が、スクリーン取付枠内に配設された８の字状のループを形成するスライドガイド枠張力部材により相互に連結され、スライドガイド枠張力部材の折返点が、スクリーン取付枠内においてスクリーン取付側と反対側に配置され、スクリーンが、スクリーン取付枠から取外自在とされ、スクリーンには、長さ方向に複数箇所で貫通し、スクリーンを支持する複数のスクリーン張力部材が配設され、スクリーン張力部材は、スクリーンのスクリーン取付枠への取付部から引き出され、スクリーンのスクリーン取付枠への取付部に折返部が配設され、スクリーンのスクリーン取付枠への取付部から引き出されたすべてのスクリーン張力部材が折返部に掛け回されて折り返され、端部がまとめて第１のコネクタに接続され、スクリーン取付枠内においてスライドガイド枠の自由端付近に一端が連結され、スクリーン取付側に引き出されたジャンプ部材の他端に第２のコネクタが配設され、第１のコネクタと第２のコネクタとは着脱自在であり、スライドガイド枠がスクリーン取付枠から引き出された状態においてスクリーンの交換が可能とされたスクリーン装置であって、表裏を貫通する通線孔が形成された固定部の表面側に、上下両端部が開口し、通線空間を有するガイド部が配設され、ガイド部の固定部側の左右両側端部にガイド部の長さ方向に沿って係合溝が形成された通線部材が、スクリーンのスクリーン取付枠への取付部から引き出される各スクリーン張力部材に通線孔を対応させて、スクリーン取付枠への取付部に固定された固定部材に配設され、スクリーンのスクリーン取付枠への取付部から引き出されたスクリーン張力部材が通線孔を通じて通線空間に引き込まれ、ガイド部にガイドされて折返部に向かい、係合突起を左右両側端縁部の内側に有するカバー部材が、係合突起を通線部材の係合溝に係合させて嵌着され、カバー部材が、スクリーンのスクリーン取付枠への取付部から引き出された複数のスクリーン張力部材の折返部までの部分を覆っていることを特徴としている。
【００１４】
第２の発明は、上記第１の発明において、横開き式のスクリーン装置であって、ボトムレールを備え、スライド移動可能なスクリーン取付枠の下端部にガイドブロックが配設され、ガイドブロックがボトムレールに沿って移動し、スクリーン取付枠のスライドがボトムレールによりガイドされ、スライドガイド枠張力部材の折返点を有する折返ブロックがスクリーン取付枠の下端部に配設され、ガイドブロックが折返ブロックに嵌着脱自在とされていることを特徴としている。
【００１５】
第３の発明は、上記第２の発明において、スクリーン装置は、取付枠に対向して配置された縦枠を備え、縦枠の戸当り面に隣接配置させてマグネットが縦枠の内部に配設され、スクリーン取付枠のスライド方向の先端部にもマグネットが配設され、両マグネットは互いに磁力により引き合い、スクリーン取付枠において縦枠の戸当り面との対向面が、縦枠の戸当り面の形状に追随して密着可能とされていることを特徴としている。
【００１６】
第４の発明は、上記第３の発明において、縦枠の戸当り面が一平面から形成されていることを特徴としている。
【発明の効果】
【００１８】
上記第１の発明によれば、スクリーンのスクリーン取付枠への取付部から引き出された複数のスクリーン張力部材の折返部までの部分にカバー部材が配設されているので、スクリーン張力部材の折返部までの部分と、折返部に掛け回され、折り返され、端部がまとめられて第１のコネクタに接続される部分とが互いに絡まらず、製造作業、梱包作業、組立作業などに影響を及ぼすことがない。
【００１９】
また、上記第１の発明によれば、通線部材が、スクリーンのスクリーン取付枠への取付部から引き出される各スクリーン張力部材に通線孔を対応させて配設され、スクリーンのスクリーン取付枠部への取付部から引き出されたスクリーン張力部材が通線孔を通じて通線空間に引き込まれ、ガイド部にガイドされて折返部に向かい、カバー部材が、係合突起を通線部材の係合溝に係合させて嵌着され、カバー部材が、スクリーンのスクリーンへの取付枠部から引き出された複数のスクリーン張力部材の折返部までの部分を覆っているので、カバー部材の装着が簡便であり、作業性に優れる。
【００２０】
上記第２の発明によれば、ボトムレールを備え、スクリーン取付枠のスライドがボトムレールによりガイドされる横開き式のスクリーン装置において、スクリーン取付枠の下端部に配設されたガイドブロックが、スクリーン取付枠部の下端部に配設されたスライドガイド枠張力部材の折返点を有する折返ブロックに嵌着脱自在とされているので、磨耗が大きいガイドブロックのみを容易に取り外し、交換することができ、メンテナンス性が向上し、部品コストの低減を図ることができる。
【００２１】
上記第３の発明によれば、取付枠に対向して配置された縦枠の戸当り面に隣接配置させてマグネットが縦枠の内部に配設され、スクリーン取付枠のスライド方向の先端部にもマグネットが配設され、両マグネットは互いに磁力により引き合い、スクリーン取付枠において縦枠の戸当り面との対向面が、縦枠の戸当り面の形状に追随して密着可能とされているため、窓枠開口部などの端面が鉛直面でなく、前後に多少歪んでいたり、縦枠の戸当り面が前後に多少歪んでいたりしても、縦枠側のマグネットとスクリーン取付枠側のマグネットが十分に密着し、隙間の発生を十分抑えることができる。
【００２２】
上記第４の発明によれば、縦枠の戸当り面が一平面から形成されているので、縦枠側のマグネットとスクリーン取付枠側のマグネットとがより十分に密着し、隙間の発生を寄り十分抑えることができ、また、縦枠の戸当り面が窓枠開口部などに突出することがないため、見栄えが良好となる。しかも、ボトムレールを縦枠の戸当り面の際にまで隙間なく施工することができ、スクリーン取付枠のスライドがより安定化する。
【発明を実施するための最良の形態】
【００２３】
図１は、本発明のスクリーン装置の一実施形態におけるスクリーン周辺を示した要部分解斜視図である。以降、図中において図７および図８に示した部分と共通する部分には同一の符号を付し、説明を省略する。
【００２４】
図１に示したスクリーン装置１は、図７および図８に示した先に提案したスクリーン装置１を前提にし、一部改良が加えられたものである。
【００２５】
スクリーン３は、複数のプリーツが付けられ、アコーディオン状に収縮および展開自在とされた布、ネット、シートなどから形成されている。図１は、最も圧縮状態にあるスクリーン３を示している。
【００２６】
スクリーン３には、上下および中央２箇所においてスクリーン３を長さ方向に貫通する計４本のスクリーン張力部材８が配設されている。スクリーン張力部材８には、たとえば紐、ワイヤーなどの張力が発生し、スクリーン３を支持して自立性を確保し、面強度を高めることのできる適宜なものを採用することができる。本数は、スクリーン３の高さなどに応じて適宜に設定することができ、２本以上の複数とすることができる。
【００２７】
スクリーン３の左右両端部に位置する、図７に示したスクリーン取付枠２への取付部３ａの外側に、セットテープ、セットプレートなどの樹脂製などとすることのできる固定部材９が接着、貼着などにより固定されている。各スクリーン張力部材８は、スクリーン３の取付部３ａに固定された固定部材９をも通じてスクリーン３の外側に引き出され、スクリーン３の下端部に向かって折り曲げられ、固定部材９の下端部に取り付けられた折返部１０に掛け回され、折り返されて下から上へと方向転換し、端部が４本まとめられて第１のコネクタ１１に接続されている。
【００２８】
折返部１０は固定片１４を備え、固定片１４の左右両側端縁の中央部から上端にかけて前方に対向する一対の支持片１５が延設されている。支持片１５より下側の固定片１４にはねじ孔が形成されている。両支持片１５間にはローラー１６が軸支され、ローラー１６は回転自在とされている。ローラー１６と固定片１４との間にはスクリーン張力部材８を挿通することのできる間隔があけられている。
【００２９】
このような折返部１０は、固定部材９の下端部に固定片１４を当接させ、前方からねじ１７をねじ込んで固定されている。固定部材９の下端部には長孔１８が形成されており、スクリーン３の高さやスクリーン張力部材８の長さなどに応じて折返部１０の取付高さが調節可能とされ、スクリーン張力部材８に適度のテンションを付与可能としている。
【００３０】
スクリーン３の取付部３ａに固定された固定部材９には、各スクリーン張力部材８が引き出される箇所、すなわち、上下および中央２箇所の計４箇所に通線部材１９が配設されている。
【００３１】
通線部材１９は、図２に示したように、表裏を貫通する通線孔２０が形成された片状の固定部２１を備え、表面側に、上下両端部が開口し、通線空間２２を有する略角筒状のガイド部２３が配設されている。ガイド部２３の固定部２１側の左右両側端部にはガイド部２３の長さ方向に沿って係合溝２４が形成されている。また、ガイド部２３には、正面に通線溝２５が形成されてもいる。通線部材１９は、固定部材９から引き出される各スクリーン張力部材８に固定部２１に形成された通線孔２０を対応させて配設されている。たとえば、固定部２１の裏面に両面テープなどの貼着材を配設し、固定部材９に貼着したり、接着剤により接着したりして通線部材１９は固定部材９に固定することができる。
【００３２】
スクリーン３の上側に配設された通線部材１９では、固定部材９から引き出されたスクリーン張力部材８が通線孔２０を通じてガイド部２３内の通線空間２２に引き込まれ、通線孔２０において折り曲げられ、ガイド部２３にガイドされて通線空間２２の下端開口を通じて下方に引き出される。スクリーン張力部材８を通線孔２０に通すのを容易とするために、ガイド部２３の正面は、たとえば矩形に切り欠き、開口２６を形成するのが好ましい。この場合、開口２６から工具などを差し込み、スクリーン張力部材８を通線孔２０を通じて通線部材１９の前方外側まで引き出すことができる。通線部材１９から引き出したスクリーン張力部材８は、ガイド部２３の正面に形成された通線溝２５を通じて通線空間２２に収めることができる。
【００３３】
スクリーン３の中央上側に配設された通線部材１９では、固定部材９から引き出されたスクリーン張力部材８は、スクリーン３の上側に配設された通線部材１９と同様に通線空間２２に引き込まれ、ガイド部２３にガイドされて通線空間２２の下端開口を通じて下方に引き出される。一方、スクリーン３の上側に配設された通線部材１９を通じて下方に引き出されたスクリーン張力部材８は、通線部材１９の通線空間２２の上端開口またはガイド部２３の正面の通線溝２５を通じて通線空間２２の内部に引き込まれ、通線空間２２の下端開口から下方に引き出される。
【００３４】
スクリーン３の中央下側および下側に配設された通線部材１９では、スクリーン３の中央上側に配設された通線部材１９と同様にしてスクリーン張力部材８の通線が行われる。固定部材９の折返部１０の直上に配設された下側の通線部材１９では、下方に引き出された４本のスクリーン張力部材８が通線空間２２に引き込まれ、下端開口から引き出されている。引き出された４本のスクリーン張力部材８は、折返部１０において、ローラー１６と固定部１４との間から挿通され、ローラー１６に掛け回され、折り返されている。
【００３５】
各通線部材１９には、図１に示したように、スクリーン３の高さ方向に延びる長尺のカバー部材２７が嵌着される。カバー部材２７は、図２に示したように、断面略コ字型形状の部材であり、樹脂などから形成される。左右両側部２７ａの端縁部内側には内方に突出する係合突起２８が一対対向して配設されている。各係合突起２８は、通線部材１９のガイド部２３の固定部２１側の左右両側端部に形成された各係合溝２４に係合可能とされている。したがって、カバー部材２７は、図１に示したように、左右両側部２７ａ間の間隔を拡大するように変形させて各通線部材１９の前方から被せ、係合突起２８を係合溝２４に係合させることにより通線部材１９に嵌着することができる。また、カバー部材２７の通線部材１９への嵌着は、図２に示したように、上側に位置する通線部材１９の上方から係合突起２８を係合溝２４に差し込み、下方にスライドさせることによっても実現することができる。
【００３６】
いすれにおいても、嵌着状態では、カバー部材２７は、固定部材９から引き出された各スクリーン張力部材８の折返部１０までの部分８ａを覆う。したがって、スクリーン張力部材８の折返部１０までの部分８ａと、折返部１０に掛け回され、折り返され、端部がまとめられて第１のコネクタ１１に接続される部分８ｂとが互いに絡まらず、製造作業、梱包作業、組立作業などに影響を及ぼすことがない。また、カバー部材２７の装着が、通線部材１９への嵌着により実現されるので、カバー部材２７の装着の作業性に優れる。
【００３７】
なお、本発明のスクリーン装置では、カバー部材には、図１および図２に示したカバー部材２７の他、図３＜ａ＞＜ｂ＞に示したようなカバー部材２７１、２７２を採用することもできる。
【００３８】
図３＜ａ＞に示したカバー部材２７１は、ストロー状の円筒形状を有する部材であり、固定部材９をも通じてスクリーン３の取付部３ａから引き出されたスクリーン張力部材８の折返部１０までの部分８ａをスクリーン張力部材８毎にカバー部材２７１の内部に挿通している。
【００３９】
図３＜ｂ＞に示したカバー部材２７２は、スクリーン３の長さ方向に延びるテープ状の部材であり、スクリーン３の取付部３ａから引き出された４本のスクリーン張力部材８の折返部１０までの部分８ａを覆い、スクリーン張力部材８が移動可能な程度に接着テープ２９によって固定部材９に取り付けられている。
【００４０】
いずれのカバー部材２７１、２７２も、スクリーン３の取付部３ａから引き出されたスクリーン張力部材８の折返部１０までの部分８ａを覆うことができるので、折返部１０に掛け回され、折り返され、端部がまとめられて第１のコネクタ１１に接続されるスクリーン張力部材８の部分８ｂと絡まらず、製造作業、梱包作業、組立作業などに影響を及ぼすことがない。
【００４１】
カバー部材２７１、２７２を採用する場合、図１および図２に示した通線部材１９から係合溝２４を省略したり、図３＜ａ＞＜ｂ＞に示したように、通線部材１９そのものを省略することもできる。
【００４２】
また、スクリーン装置１は、図７に示したように、横開き式のスクリーン装置であり、スクリーン装置１には、スクリーン取付枠２のスライドをガイドするとともに、下枠を構成するスライドガイド枠４の収納および引出しをガイドするために、図４に示したように、窓枠開口部などの下縁にボトムレール３０が配設されている。スクリーン取付枠２の下端部にはガイドブロック３１が配設され、ガイドブロック３１はボトムレール３０に沿って移動し、スクリーン取付枠２のスライドがボトムレール３０によりガイドされる。
【００４３】
ボトムレール３０は、上端部に左右両側方に突出する突起３２を有している。このようなボトムレール３０の外形に対応してガイドブロック３０の下端部は断面略コ字型形状に切り欠かれ、切欠部３３が形成されている。スライドガイド枠４を形成する、図７および図８に示した剛性ユニット５には、左右両側壁部の下端部内側に溝が形成され、溝は、ボトムレール３０の上端部の突起３２に係合可能とされている。このため、風圧、接触などにより横方向からスライドガイド枠４に力が加わると、突起３２が溝に係合し、スライドガイド枠４が浮き上がったり、ボトムレール３０から外れたりするのが防止され、スクリーン装置１のスムーズな開閉操作を実現する。
【００４４】
ガイドブロック３１の下端部は、ボトムレール３０の上端部に接触するため、スクリーン装置１の開閉操作にともない次第に磨耗し、交換が必要とされる。そこで、スクリーン装置１では、ガイドブロック３１を部品化し、ガイドブロック３１単品の交換を可能にしている。
【００４５】
スクリーン装置１では、図８に示したスクリーン取付枠２内に配設された８の字状のループを形成するスライドガイド枠張力部材６の折返点７の部分も部品化し、折返点７を有する折返ブロック３４がスクリーン取付枠２の下端部に配設されている。ガイドブロック３１は、折返ブロック３４に嵌着脱自在に配設されている。図５に示したように、ガイドブロック３１は、折返ブロック３４の下方から取付けおよび取外し可能とされている。折返ブロック３４には、下方に開口した中空状の、ガイドブロック３１の収納部３５が形成され、収納部３５の内側両端部に略カンナ台形状の溝が形成されている。この溝にガイドブロック３１が圧入、係止されてガイドブロック３１が折返ブロック３４に固定される。図４図中の符号３６は、折返ブロック３４の下端部両側端部の縁片部である。
【００４６】
このように、ガイドブロック３１が、一対のスライドガイド枠４の自由端４ａを相互に連結し、８の字状のループを形成するスライドガイド枠張力部材６を折り返す折返点７を有する、スクリーン取付枠２の下端部に配設された折返ブロック３４に嵌着脱自在に配設されているので、磨耗が大きいガイドブロック３１のみを容易に取り外し、交換することができ、メンテナンス性が向上し、部品コストの低減を図ることができる。折返ブロック３４に全く影響を与えず、スライドガイド枠張力部材６の配線状態をそのままにしてガイドブロック３１のみを交換することができる。ガイドブロック３１は、下端部の切欠部３３ばかりでなく、側面は上方から下方に向かって外側に湾曲する湾曲面３７とされ、湾曲面３７は、スライドガイド枠４を一方向に屈曲させる倣い面であり、スライドガイド枠４に接触するので、湾曲面３７の磨耗も起こりやすく、したがって、ガイドブロック３１のみを交換可能としたことはこのことからも有効である。
【００４７】
また、スクリーン装置１は、図６に示したように、スクリーン取付枠２に対向して配置された縦枠３８を備えている。縦枠３８は、窓枠開口部などではサッシの方立で代用することができるが、縦枠３８には、戸当り面３９に隣接配置させてマグネット４０が縦枠３８の内部に配設されている。スクリーン取付枠２のスライド方向の先端部にもマグネット４１が配設され、両マグネット４０、４１は互いに磁力により引き合い、スクリーン装置１を閉じた状態に保持可能としている。
【００４８】
窓枠開口部などの端面は鉛直面でなく、前後に多少歪んでいたり、縦枠３８の戸当り面３９も前後に多少歪んでいたりすることが往々にしてある。そこで、スクリーン装置１では、スクリーン取付枠２における縦枠３８の戸当り面３９との対向面４２が、縦枠３８の戸当り面３９の形状に追随して密着可能とされている。具体的には、スクリーン取付枠２の前面に嵌着される、マグネット４１を内蔵するキャップ部材４３が、撓み変形の容易な軟質樹脂、ゴムなどの材料から形成されている。このように、スクリーン取付枠２における縦枠３８の戸当り面３９との対向面４２を縦枠３８の戸当り面３９の形状に追随して密着可能とすることにより、縦枠３８側のマグネット４０とスクリーン取付枠２側のマグネット４１とが十分に密着し、隙間の発生を十分抑えることができる。
【００４９】
キャップ部材４３は、撓み変形の容易な材料により形成するばかりでなく、撓み変形がさほどでない材料を用いても、縦枠３８の戸当り面３９との対向面４２を縦枠３８の戸当り面３９の形状に追随して密着可能とすることができる。具体的には、スクリーン取付枠２の前面にキャップ部材４３を嵌着するために形成された開口の左右両側端縁からスクリーン取付枠２の内部に突出する受け４４に対して、キャップ部材４３の左右両側端縁部から裏面側に突設された足４５の係合に遊びを持たせ、足４５が受け４４に係合した状態においてキャップ部材４３がスクリーン取付枠２の前後方向に若干移動可能にすることにより実現される。縦枠３８の戸当り面３９などが前後に歪んでいる場合、前方に突出する部分ではキャップ部材４３は後退し、後方にくぼむ部分ではマグネット４０、４１の磁力による引き合いによりキャップ４３が前方に突出し、対向面４２が、縦枠３８の戸当り面３９の形状に追随して密着する。したがって、縦枠３８側のマグネット４０とスクリーン取付枠２側のマグネット４１とが十分に密着し、隙間の発生を十分抑えることができる。この場合の受け４４に対する足４５の遊びは、スクリーン装置１の大きさによって異なるが、３ｍｍ程度を目安にすることができる。
【００５０】
なお、縦枠３８側のマグネット４０は、断面略Ｌ字型形状の２つの取付片４６を縦枠３８において戸当り面３９の裏面から内側に立設し、対向配置し、取付片４６間に保持させることにより配設することができる。
【００５１】
また、スクリーン装置１では、縦枠３８の戸当り面３９は一平面から形成することができる。戸当り面３９が一平面から形成されるので、縦枠３８側のマグネット４０とスクリーン取付枠２側のマグネット４１とがより十分に密着し、隙間の発生をより十分抑えることができ、また、縦枠３８の戸当り面３９が窓枠開口部などに突出することがないため、見栄えが良好となる。しかも、ボトムレール３０を縦枠３８の戸当り面３９の際にまで隙間なく施工することができ、スクリーン取付枠２のスライドがより安定化する。
【図面の簡単な説明】
【００５２】
【図１】本発明のスクリーン装置の一実施形態におけるスクリーン周辺を示した要部分解斜視図である。
【図２】図１に示したスクリーン装置における通線部材とカバー部材とを示した要部分解斜視図である。
【図３】＜ａ＞＜ｂ＞は、それぞれ、本発明のスクリーン装置の別の実施形態におけるスクリーン周辺を示した要部斜視図である。
【図４】図１に示したスクリーン装置のスクリーン取付枠の下端部周辺を示した要部側面図である。
【図５】図１に示したスクリーン装置における折返ブロックとガイドブロックとの関係を示した要部分解断面図である。
【図６】図１に示したスクリーン装置における縦枠周辺を示した要部断面図である。
【図７】先に提案したスクリーン装置を示した分解斜視図である。
【図８】図７に示したスクリーン装置のスクリーン取付枠周辺を示した要部断面図である。
【符号の説明】
【００５３】
１  スクリーン装置
２  スクリーン取付枠
３  スクリーン
３ａ  取付部
４  スライドガイド枠
４ａ  自由端
５  剛性ユニット
６  スライドガイド枠張力部材
７  折返点
８  スクリーン張力部材
１０  折返部
１１  第１のコネクタ
１２  ジャンプ部材
１３  第２のコネクタ
１９  通線部材
２０  通線孔
２１  固定部
２２  通線空間
２３  ガイド部
２４  係合溝
２７  カバー部材
２７１、２７２  カバー部材
２８  係合突起
３０  ボトムレール
３１  ガイドブロック
３４  折返ブロック
３８  縦枠
３９  戸当り面
４０  マグネット
４１  マグネット
４２  対向面
【図１】
0005094237.tif 000002
【図２】
0005094237.tif 000003
【図３】
0005094237.tif 000004
【図４】
0005094237.tif 000005
【図５】
0005094237.tif 000006
【図６】
0005094237.tif 000007
【図７】
0005094237.tif 000008
【図８】
0005094237.tif 000009